(57)【要約】  【課題】ユーザのプレゼンスと通信のセッションとの間に生じる不整合な状態を解消することの可能なセッション制御方法及びシステム装置の提供。  【解決手段】ユーザにより複数の端末（３ａ，３ｂ，…）の何れかを用いたログインが行われる毎に、ログイン端末が旧端末３ａから新端末３ｂへと変更されたか否かを判定する端末変更判定部６１と、ログイン端末の変更が判定されたときに、現在、新端末３ｂを用いてログインしているユーザが、過去に旧端末３ａを用いたコンテンツサーバ４との間のセッションを確立していたか否かを判定するセッション確立判定部６３と、旧端末３ａを用いたセッションの確立が判定されたときに、新端末３ｂを用いてログインしているユーザの選択に応じ、ＳＩＰサーバ５におけるセッション管理部５１を制御して当該セッションの操作を行うセッション制御部６５とを、プレゼンスサーバ６に具備させる特徴的構成手段の採用。【選択図】図１
2005073160.tif 000002
【特許請求の範囲】
【請求項１】
メッセンジャークライアント及びＷｅｂブラウザをそれぞれ搭載してなる複数の端末と、当該複数の端末からの要求に応じて情報を配信する任意のサーバと、前記複数の端末と前記任意のサーバとの間の情報通信に関するセッションを管理するセッション管理サーバと、前記複数の端末を用いるユーザの在席状況に関するプレゼンスを管理するプレゼンスサーバとを有して構成されるネットワークシステムに適用され、前記複数の端末と前記任意のサーバとの間に確立された前記セッションを前記プレゼンスサーバを介して制御するためのセッション制御方法であって、
前記セッション管理サーバは、
前記ユーザにより前記複数の端末の何れかを用いた前記任意のサーバとの間の前記セッションが確立される毎に、当該ユーザ及び任意のサーバ内の配信情報に関してそれぞれ事前に登録されたユーザ識別子及び配信情報識別子の組み合わせからなるセッション接続情報を前記プレゼンスサーバに送信すると共に、当該セッション接続情報により定義される前記セッションの状態を前記プレゼンスサーバからの指示に応じて管理する処理を実施する一方、
前記プレゼンスサーバは、
前記ユーザにより前記複数の端末の何れかを用いたログインが行われる毎に、該当するログイン端末に付与されているＩＰアドレスを取得すると共に、当該ＩＰアドレスと前記ユーザ識別子とに基づき、当該ログイン端末が、今回のログインに際し、前回のログインに用いた旧端末から当該旧端末とは異なる新端末へと変更されたか否かを判定する処理と、
前記ログイン端末の変更が判定されたときに、現在、前記新端末を用いてログインしている前記ユーザが、過去に前記旧端末を用いた前記任意のサーバとの間の前記セッションを確立していたか否かを、前記セッション管理サーバから送信された前記ユーザ識別子及び前記配信情報識別子の組み合わせからなる前記セッション接続情報、並びに前記新端末に関して取得された前記ＩＰアドレスに基づいて判定する処理と、
前記旧端末を用いた前記セッションの確立が判定されたときに、前記新端末を用いてログインしている前記ユーザの選択に応じ、前記セッション管理サーバを制御して当該セッションの操作を行う処理と、を順次実施する、
ことを特徴とするセッション制御方法。
【請求項２】
前記プレゼンスサーバは、
前記旧端末を用いた前記セッションの確立が判定されたときに、前記ユーザに選択させるべき当該セッションに対する操作の種別を案内するためのＷｅｂページのＵＲＬを内容に含んだインスタントメッセージを、前記新端末における前記メッセンジャークライアントに送信する処理と、
前記新端末に送信された前記インスタントメッセージ中の前記ＵＲＬが前記ユーザにより指定されたときに、対応する前記Ｗｅｂページを前記新端末における前記Ｗｅｂブラウザ上に表示させる処理と、を順次実施する、
ことを特徴とする請求項１に記載のセッション制御方法。
【請求項３】
前記Ｗｅｂページを前記新端末における前記Ｗｅｂブラウザ上に表示させる処理は、
前記セッションに対する操作の種別として、当該セッションの切断及び同セッションの前記旧端末から前記新端末への切替えを案内する処理を伴う、
ことを特徴とする請求項２に記載のセッション制御方法。
【請求項４】
前記セッションの確立を判定する処理は、
現在、前記新端末を用いてログインしている前記ユーザが、過去に前記旧端末を含む２以上の端末を用いた前記任意のサーバとの間の複数の前記セッションを確立していたか否かを判定する処理を伴い、
前記セッション制御サーバを制御して前記セッションの操作を行う処理は、
前記旧端末を含む前記２以上の端末を用いた前記複数のセッションの確立が判定されたときに、前記セッション管理サーバを制御して当該複数のセッションの操作を行う処理を伴う、
ことを特徴とする請求項１に記載のセッション制御方法。
【請求項５】
前記プレゼンスサーバは、
前記旧端末を含む前記２以上の端末を用いた前記複数のセッションの確立が判定されたときに、前記ユーザに選択させるべき当該複数のセッションに対する操作の種別を案内するためのＷｅｂページのＵＲＬを内容に含んだインスタントメッセージを、前記新端末における前記メッセンジャークライアントに送信する処理と、
前記新端末に送信された前記インスタントメッセージ中の前記ＵＲＬが前記ユーザにより指定されたときに、対応する前記Ｗｅｂページを前記新端末における前記Ｗｅｂブラウザ上に表示させる処理と、を順次実施する、
ことを特徴とする請求項４に記載のセッション制御方法。
【請求項６】
前記Ｗｅｂページを前記新端末における前記Ｗｅｂブラウザ上に表示させる処理は、
前記複数のセッションに対する操作の種別として、当該複数のセッションの選択的切断及び同セッションの前記旧端末から前記新端末への切替えを案内する処理を伴う、
ことを特徴とする請求項５に記載のセッション制御方法。
【請求項７】
前記プレゼンスサーバは、
前記ユーザ識別子をキーとしながら、前記新端末及び前記旧端末に関してそれぞれ取得された２つの前記ＩＰアドレスを格納するデータベースを採用し、
所要の端末変更判定を、当該データベースに格納された前記２つのＩＰアドレスを参照して実施する、
ことを特徴とする請求項１、２、３、４、５又は６に記載のセッション制御方法。
【請求項８】
前記プレゼンスサーバは、
前記セッション管理サーバから送信された前記ユーザ識別子及び前記配信情報識別子の組み合わせからなる前記セッション接続情報をキーとしながら、前記新端末に関して取得された前記ＩＰアドレスを格納するデータベースを採用し、
所要のセッション確立判定を、当該データベースに格納された前記ＩＰアドレスを参照して実施する、
ことを特徴とする請求項１、２、３、４、５、６又は７に記載のセッション制御方法。
【請求項９】
前記セッション制御サーバ及び前記プレゼンスサーバは、それぞれ、
ＳＩＰプロトコル及び当該ＳＩＰプロトコルを拡張したＳＩＭＰＬＥプロトコルを採用する、
ことを特徴とする請求項１、２、３、４、５、６、７又は８に記載のセッション制御方法。
【請求項１０】
前記ユーザ識別子及び前記配信情報識別子は、共に、
前記ＳＩＰプロトコル及び前記ＳＩＭＰＬＥプロトコルに適用可能な識別子であるＳＩＰ−ＵＲＩを採用する、
ことを特徴とする請求項９に記載のセッション制御方法。
【請求項１１】
メッセンジャークライアント及びＷｅｂブラウザをそれぞれ搭載してなる複数の端末と、当該複数の端末からの要求に応じて情報を配信する任意のサーバと、前記複数の端末と前記任意のサーバとの間の情報通信に関するセッションを管理するセッション管理サーバと、前記複数の端末を用いるユーザの在席状況に関するプレゼンスを管理するプレゼンスサーバとを有して構成され、前記複数の端末と前記任意のサーバとの間に確立された前記セッションを前記プレゼンスサーバを介して制御するためのセッション制御システム装置であって、
前記セッション管理サーバは、
前記ユーザにより前記複数の端末の何れかを用いた前記任意のサーバとの間の前記セッションが確立される毎に、当該ユーザ及び任意のサーバ内の配信情報に関してそれぞれ事前に登録されたユーザ識別子及び配信情報識別子の組み合わせからなるセッション接続情報を前記プレゼンスサーバに送信すると共に、当該セッション接続情報により定義される前記セッションの状態を前記プレゼンスサーバからの指示に応じて管理するセッション管理手段を有し、
前記プレゼンスサーバは、
前記ユーザにより前記複数の端末の何れかを用いたログインが行われる毎に、該当するログイン端末に付与されているＩＰアドレスを取得すると共に、当該ＩＰアドレスと前記ユーザ識別子とに基づき、当該ログイン端末が、今回のログインに際し、前回のログインに用いた旧端末から当該旧端末とは異なる新端末へと変更されたか否かを判定する端末変更判定手段と、
この端末変更判定手段において前記ログイン端末の変更が判定されたときに、現在、前記新端末を用いてログインしている前記ユーザが、過去に前記旧端末を用いた前記任意のサーバとの間の前記セッションを確立していたか否かを、前記セッション管理サーバにおける前記セッション管理手段から送信された前記ユーザ識別子及び前記配信情報識別子の組み合わせからなる前記セッション接続情報、並びに前記端末変更判定手段により前記新端末に関して取得された前記ＩＰアドレスに基づいて判定するセッション確立判定手段と、
このセッション確立判定手段において前記旧端末を用いた前記セッションの確立が判定されたときに、前記新端末を用いてログインしている前記ユーザの選択に応じ、前記セッション管理サーバにおける前記セッション管理手段を制御して当該セッションの操作を行うセッション制御手段と、を有する、
ことを特徴とするセッション制御システム装置。
【請求項１２】
前記プレゼンスサーバは、
前記セッション確立判定手段において前記旧端末を用いた前記セッションの確立が判定されたときに、前記ユーザに選択させるべき当該セッションに対する操作の種別を案内するためのＷｅｂページのＵＲＬを内容に含んだインスタントメッセージを、前記新端末における前記メッセンジャークライアントに送信するメッセージ送信手段と、
このメッセージ送信手段により前記新端末に送信された前記インスタントメッセージ中の前記ＵＲＬが前記ユーザにより指定されたときに、対応する前記Ｗｅｂページを前記新端末における前記Ｗｅｂブラウザ上に表示させるセッション操作表示手段と、を有する、
ことを特徴とする請求項１１に記載のセッション制御システム装置。
【請求項１３】
前記セッション操作表示手段は、
前記セッションに対する操作の種別として、当該セッションの切断及び同セッションの前記旧端末から前記新端末への切替えを案内する前記Ｗｅｂページを前記新端末における前記Ｗｅｂブラウザ上に表示させる機能手段を具備する、
ことを特徴とする請求項１２に記載のセッション制御システム装置。
【請求項１４】
前記セッション確立判定手段は、
現在、前記新端末を用いてログインしている前記ユーザが、過去に前記旧端末を含む２以上の端末を用いた前記任意のサーバとの間の複数の前記セッションを確立していたか否かを判定する機能手段を具備し、
前記セッション制御手段は、
当該セッション確立判定手段において前記旧端末を含む前記２以上の端末を用いた前記複数のセッションの確立が判定されたときに、前記セッション管理サーバにおける前記セッション管理手段を制御して当該複数のセッションの操作を行う機能手段を具備する、
ことを特徴とする請求項１１に記載のセッション制御システム装置。
【請求項１５】
前記プレゼンスサーバは、
前記セッション確立判定手段において前記旧端末を含む前記２以上の端末を用いた前記複数のセッションの確立が判定されたときに、前記ユーザに選択させるべき当該複数のセッションに対する操作の種別を案内するためのＷｅｂページのＵＲＬを内容に含んだインスタントメッセージを、前記新端末における前記メッセンジャークライアントに送信するメッセージ送信手段と、
このメッセージ送信手段により前記新端末に送信された前記インスタントメッセージ中の前記ＵＲＬが前記ユーザにより指定されたときに、対応する前記Ｗｅｂページを前記新端末における前記Ｗｅｂブラウザ上に表示させるセッション操作表示手段と、を有する、
ことを特徴とする請求項１４に記載のセッション制御システム装置。
【請求項１６】
前記セッション操作表示手段は、
前記複数のセッションに対する操作の種別として、当該複数のセッションの選択的切断及び同セッションの前記旧端末から前記新端末への切替えを案内する前記Ｗｅｂページを表示する機能手段を具備する、
ことを特徴とする請求項１５に記載のセッション制御システム装置。
【請求項１７】
前記プレゼンスサーバは、
前記ユーザ識別子をキーとしながら、前記端末変更判定手段により前記新端末及び前記旧端末に関してそれぞれ取得された２つの前記ＩＰアドレスを格納するログインＩＰアドレス管理データベースを有し、
前記端末変更判定手段は、
当該ログインＩＰアドレス管理データベースに格納された前記２つのＩＰアドレスを参照して所要の端末変更判定を行う機能手段を具備する、
ことを特徴とする請求項１１、１２、１３、１４、１５又は１６に記載のセッション制御システム装置。
【請求項１８】
前記プレゼンスサーバは、
前記セッション管理サーバにおける前記セッション管理手段から送信された前記ユーザ識別子及び前記配信情報識別子の組み合わせからなる前記セッション接続情報をキーとしながら、前記端末変更判定手段により前記新端末に関して取得された前記ＩＰアドレスを格納する通信中セッション管理データベースを有し、
前記セッション確立判定手段は、
当該通信中セッション管理データベースに格納された前記ＩＰアドレスを参照して所要のセッション確立判定を行う機能手段を具備する、
ことを特徴とする請求項１１、１２、１３、１４、１５、１６又は１７に記載のセッション制御システム装置。
【請求項１９】
前記セッション制御サーバ及び前記プレゼンスサーバは、それぞれ、
ＳＩＰプロトコル及び当該ＳＩＰプロトコルを拡張したＳＩＭＰＬＥプロトコルを実装して構成される、
ことを特徴とする請求項１１、１２、１３、１４、１５、１６、１７又は１８に記載のセッション制御システム装置。
【請求項２０】
前記ユーザ識別子及び前記配信情報識別子は、共に、
前記ＳＩＰプロトコル及び前記ＳＩＭＰＬＥプロトコルに適用可能な識別子であるＳＩＰ−ＵＲＩを採用した接続元ＳＩＰ−ＵＲＩ及び接続先ＳＩＰ−ＵＲＩである、
ことを特徴とする請求項１９に記載のセッション制御システム装置。
【発明の詳細な説明】
【技術分野】
【０００１】
本発明は、セッション制御方法及びシステム装置に関し、詳しくは、メッセンジャークライアント及びＷｅｂブラウザをそれぞれ搭載してなる複数の端末と、当該複数の端末からの要求に応じて情報を配信する任意のサーバと、複数の端末と任意のサーバとの間の情報通信に関するセッションを管理するセッション管理サーバと、複数の端末を用いるユーザの在席状況に関するプレゼンスを管理するプレゼンスサーバとを有して構成されるネットワークシステムに適用され、複数の端末と任意のサーバとの間に確立されたセッションをプレゼンスサーバを介して制御するためのセッション制御方法、及びその実施に直接使用されるセッション制御システム装置に係わる。
【背景技術】
【０００２】
近年、情報通信端末（以下、単に「端末」という）のユーザからの要求に応じて、音声や動画などのコンテンツを配信する複数のコンテンツサーバの各状態をネットワーク上で集中管理したり、或いは、インターネット電話などに適用されるＶｏＩＰ接続（ＶｏＩＰ：Voice over Internet Protocol）の集中制御などを行うことを目的としたセッション制御サーバが利用されるに至っている。
【０００３】
また、端末ユーザの在席状況に関するプレゼンスを管理するメッセンジャークライアントの普及に伴い、上記セッション制御サーバに類似するサーバとして、当該プレゼンスをネットワーク上で集中管理するプレゼンスサーバも導入されてきている。
【０００４】
この種のプレゼンスサーバを利用する場合、ユーザは、自身に割り当てられたユーザ識別子を端末から入力して同プレゼンスサーバにログインし、自身の現在の状況、即ち、在席や退席などに関するプレゼンスを当該プレゼンスサーバ上に登録する。これにより、ネットワークに参加している各ユーザは、同プレゼンスサーバを参照することにより、現在ログインしている全てのユーザの状況を把握したり、或いは、そのログイン中のユーザ同士でインスタントメッセージの送受信などを行うことができる。
【０００５】
なお、上記セッション制御サーバに実装されるプロトコルとしては、通常、ＳＩＰプロトコル（ＳＩＰ：Session Initiation Protocol）が適用され、また、プレゼンスサーバに実装されるプロトコルとしては、上記ＳＩＰプロトコルの拡張版であるＳＩＭＰＬＥプロトコル（ＳＩＭＰＬＥ：SIP for Instant Messaging and Presence Leveraging Extensions）が一般に適用されている。
【０００６】
従来、上記セッション制御サーバ及びプレゼンスサーバは、それら各実装プロトコルの相違から両者の連携を図ることが困難なため、自ずとそれぞれ独立して使用されてきた。このため、例えば、ユーザのプレゼンスと連携してセッションの制御を行うことなどは、当然不可能であった。
【０００７】
ここで、当該セッション制御サーバ及びプレゼンスサーバにそれぞれ実装されるＳＩＰプロトコル及びＳＩＭＰＬＥプロトコルにおいては、ユーザやコンテンツの種別を特定するための識別子であるＳＩＰ−ＵＲＩ（ＵＲＩ：Uniform Resource Identifier）が用いられる。このＳＩＰ−ＵＲＩは、ＩＰアドレス（ＩＰ：Internet Protocol）のように端末やコンテンツサーバなどのハードウェアに付与されるものではないため、ユーザは、使用する端末を変更しても常に同一のＳＩＰ−ＵＲＩを使用し続けることができる。
【０００８】
なお、上記ＳＩＰプロトコル及びＳＩＭＰＬＥプロトコルの詳細については、下記の非特許文献１及び２に記載されている。
【非特許文献１】J. Rosenberg,“A Presence Event Package for the Session Initiation Protocol”, January 31, 2003.
【非特許文献２】J. Rosenberg et al.,“SIP: Session Initiation Protocol”, RFC3261.
【発明の開示】
【発明が解決しようとする課題】
【０００９】
しかしながら、上記ＳＩＰプロトコル及びＳＩＭＰＬＥプロトコルでＳＩＰ−ＵＲＩが共用されていても、例えば、ある端末が、プレゼンスサーバへのログインと、セッション制御サーバを介したセッションの確立とを同時に行っている状況を想定した場合、当該端末のユーザが、今まで使用していた端末（以下「旧端末」という）から別の端末（以下「新端末」という）に移動してプレゼンスサーバにログインすると、プレゼンスの状態に関しては「新端末でログイン」、セッションの状態に関しては「旧端末でセッション確立中」のようになり、上記プレゼンスとセッションとの間で不整合な状態が生じる。
【００１０】
また、近年普及してきているプレゼンスサーバによるユーザのプレゼンス管理と、セッション制御サーバによる通信制御とが連携していないことから、ユーザは、プレゼンスサーバとセッション制御サーバとをそれぞれ個別に使用する必要があり、操作が煩雑なものとなる。
【００１１】
さらに、ユーザが、例えば、旧端末を通じてコンテンツサーバの間で確立したセッションを終了させないまま新端末に移動した状況を想定した場合、当該ユーザが上記旧端末とコンテンツサーバとの接続を終了させるには、旧端末に戻って上記セッションを終了させる必要があり、ユーザの利便性に欠ける。
【００１２】
ここにおいて、本発明の解決すべき主要な目的は、次のとおりである。
【００１３】
即ち、本発明の第１の目的は、ユーザのプレゼンスと通信のセッションとの間に生じる不整合な状態を解消することの可能なセッション制御方法及びシステム装置を提供せんとするものである。
【００１４】
本発明の第２の目的は、プレゼンスサーバとセッション制御サーバとを同時に使用することの可能なセッション制御方法及びシステム装置を提供せんとするものである。
【００１５】
本発明の第３の目的は、セッション制御サーバを介して確立されたセッションの状態を任意の端末から操作することの可能なセッション制御方法及びシステム装置を提供せんとするものである。
【００１６】
本発明の他の目的は、明細書、図面、特に特許請求の範囲の各請求項の記載から、自ずと明らかとなろう。
【課題を解決するための手段】
【００１７】
まず、本発明方法においては、ユーザにより複数の端末の何れかを用いたログインが行われる毎に、ログイン端末が旧端末から新端末へと変更されたか否かを判定する処理と、ログイン端末の変更が判定されたときに、現在、新端末を用いてログインしているユーザが、過去に旧端末を用いた任意のサーバとの間のセッションを確立していたか否かを判定する処理と、旧端末を用いたセッションの確立が判定されたときに、新端末を用いてログインしているユーザの選択に応じ、セッション管理サーバを制御して当該セッションの操作を行う処理とを、プレゼンスサーバに順次実施させる特徴的構成手法を講じる。
【００１８】
一方、本発明装置においては、ユーザにより複数の端末の何れかを用いたログインが行われる毎に、ログイン端末が旧端末から新端末へと変更されたか否かを判定する端末変更判定手段と、ログイン端末の変更が判定されたときに、現在、新端末を用いてログインしているユーザが、過去に旧端末を用いた任意のサーバとの間のセッションを確立していたか否かを判定するセッション確立判定手段と、旧端末を用いたセッションの確立が判定されたときに、新端末を用いてログインしているユーザの選択に応じ、セッション管理サーバにおけるセッション管理手段を制御して当該セッションの操作を行うセッション制御手段とを、プレゼンスサーバに具備させる特徴的構成手段を講じる。
【００１９】
さらに、具体的詳細に述べると、当該課題の解決では、本発明が次に列挙する上位概念から下位概念に亙る新規な特徴的構成手法又は手段を採用することにより、前記目的を達成するよう為される。
【００２０】
即ち、本発明方法の第１の特徴は、メッセンジャークライアント及びＷｅｂブラウザをそれぞれ搭載してなる複数の端末と、当該複数の端末からの要求に応じて情報を配信する任意のサーバと、前記複数の端末と前記任意のサーバとの間の情報通信に関するセッションを管理するセッション管理サーバと、前記複数の端末を用いるユーザの在席状況に関するプレゼンスを管理するプレゼンスサーバとを有して構成されるネットワークシステムに適用され、前記複数の端末と前記任意のサーバとの間に確立された前記セッションを前記プレゼンスサーバを介して制御するためのセッション制御方法であって、前記セッション管理サーバが、前記ユーザにより前記複数の端末の何れかを用いた前記任意のサーバとの間の前記セッションが確立される毎に、当該ユーザ及び任意のサーバ内の配信情報に関してそれぞれ事前に登録されたユーザ識別子及び配信情報識別子の組み合わせからなるセッション接続情報を前記プレゼンスサーバに送信すると共に、当該セッション接続情報により定義される前記セッションの状態を前記プレゼンスサーバからの指示に応じて管理する処理を実施する一方、前記プレゼンスサーバが、前記ユーザにより前記複数の端末の何れかを用いたログインが行われる毎に、該当するログイン端末に付与されているＩＰアドレスを取得すると共に、当該ＩＰアドレスと前記ユーザ識別子とに基づき、当該ログイン端末が、今回のログインに際し、前回のログインに用いた旧端末から当該旧端末とは異なる新端末へと変更されたか否かを判定する処理と、前記ログイン端末の変更が判定されたときに、現在、前記新端末を用いてログインしている前記ユーザが、過去に前記旧端末を用いた前記任意のサーバとの間の前記セッションを確立していたか否かを、前記セッション管理サーバから送信された前記ユーザ識別子及び前記配信情報識別子の組み合わせからなる前記セッション接続情報、並びに前記新端末に関して取得された前記ＩＰアドレスに基づいて判定する処理と、前記旧端末を用いた前記セッションの確立が判定されたときに、前記新端末を用いてログインしている前記ユーザの選択に応じ、前記セッション管理サーバを制御して当該セッションの操作を行う処理とを順次実施してなる、セッション制御方法の構成採用にある。
【００２１】
本発明方法の第２の特徴は、上記本発明方法の第１の特徴における前記プレゼンスサーバが、前記旧端末を用いた前記セッションの確立が判定されたときに、前記ユーザに選択させるべき当該セッションに対する操作の種別を案内するためのＷｅｂページのＵＲＬを内容に含んだインスタントメッセージを、前記新端末における前記メッセンジャークライアントに送信する処理と、前記新端末に送信された前記インスタントメッセージ中の前記ＵＲＬが前記ユーザにより指定されたときに、対応する前記Ｗｅｂページを前記新端末における前記Ｗｅｂブラウザ上に表示させる処理とを順次実施してなる、セッション制御方法の構成採用にある。
【００２２】
本発明方法の第３の特徴は、上記本発明方法の第２の特徴における前記Ｗｅｂページを前記新端末における前記Ｗｅｂブラウザ上に表示させる処理が、前記セッションに対する操作の種別として、当該セッションの切断及び同セッションの前記旧端末から前記新端末への切替えを案内する処理を伴ってなる、セッション制御方法の構成採用にある。
【００２３】
本発明方法の第４の特徴は、上記本発明方法の第１の特徴における前記セッションの確立を判定する処理が、現在、前記新端末を用いてログインしている前記ユーザが、過去に前記旧端末を含む２以上の端末を用いた前記任意のサーバとの間の複数の前記セッションを確立していたか否かを判定する処理を伴い、前記セッション制御サーバを制御して前記セッションの操作を行う処理が、前記旧端末を含む前記２以上の端末を用いた前記複数のセッションの確立が判定されたときに、前記セッション管理サーバを制御して当該複数のセッションの操作を行う処理を伴ってなる、セッション制御方法の構成採用にある。
【００２４】
本発明方法の第５の特徴は、上記本発明方法の第４の特徴における前記プレゼンスサーバが、前記旧端末を含む前記２以上の端末を用いた前記複数のセッションの確立が判定されたときに、前記ユーザに選択させるべき当該複数のセッションに対する操作の種別を案内するためのＷｅｂページのＵＲＬを内容に含んだインスタントメッセージを、前記新端末における前記メッセンジャークライアントに送信する処理と、前記新端末に送信された前記インスタントメッセージ中の前記ＵＲＬが前記ユーザにより指定されたときに、対応する前記Ｗｅｂページを前記新端末における前記Ｗｅｂブラウザ上に表示させる処理とを順次実施してなる、セッション制御方法の構成採用にある。
【００２５】
本発明方法の第６の特徴は、上記本発明方法の第５の特徴における前記Ｗｅｂページを前記新端末における前記Ｗｅｂブラウザ上に表示させる処理が、前記複数のセッションに対する操作の種別として、当該複数のセッションの選択的切断及び同セッションの前記旧端末から前記新端末への切替えを案内する処理を伴ってなる、セッション制御方法の構成採用にある。
【００２６】
本発明方法の第７の特徴は、上記本発明方法の第１、第２、第３、第４、第５又は第６の特徴における前記プレゼンスサーバが、前記ユーザ識別子をキーとしながら、前記新端末及び前記旧端末に関してそれぞれ取得された２つの前記ＩＰアドレスを格納するデータベースを採用し、所要の端末変更判定を、当該データベースに格納された前記２つのＩＰアドレスを参照して実施してなる、セッション制御方法の構成採用にある。
【００２７】
本発明方法の第８の特徴は、上記本発明方法の第１、第２、第３、第４、第５、第６又は第７の特徴における前記プレゼンスサーバが、前記セッション管理サーバから送信された前記ユーザ識別子及び前記配信情報識別子の組み合わせからなる前記セッション接続情報をキーとしながら、前記新端末に関して取得された前記ＩＰアドレスを格納するデータベースを採用し、所要のセッション確立判定を、当該データベースに格納された前記ＩＰアドレスを参照して実施してなる、セッション制御方法の構成採用にある。
【００２８】
本発明方法の第９の特徴は、上記本発明方法の第１、第２、第３、第４、第５、第６、第７又は第８の特徴における前記セッション制御サーバ及び前記プレゼンスサーバが、それぞれ、ＳＩＰプロトコル及び当該ＳＩＰプロトコルを拡張したＳＩＭＰＬＥプロトコルを採用してなる、セッション制御方法の構成採用にある。
【００２９】
本発明方法の第１０の特徴は、上記本発明方法の第９の特徴における前記ユーザ識別子及び前記配信情報識別子が、共に、前記ＳＩＰプロトコル及び前記ＳＩＭＰＬＥプロトコルに適用可能な識別子であるＳＩＰ−ＵＲＩを採用してなる、セッション制御方法の構成採用にある。
【００３０】
一方、本発明装置の第１の特徴は、メッセンジャークライアント及びＷｅｂブラウザをそれぞれ搭載してなる複数の端末と、当該複数の端末からの要求に応じて情報を配信する任意のサーバと、前記複数の端末と前記任意のサーバとの間の情報通信に関するセッションを管理するセッション管理サーバと、前記複数の端末を用いるユーザの在席状況に関するプレゼンスを管理するプレゼンスサーバとを有して構成され、前記複数の端末と前記任意のサーバとの間に確立された前記セッションを前記プレゼンスサーバを介して制御するためのセッション制御システム装置であって、前記セッション管理サーバが、前記ユーザにより前記複数の端末の何れかを用いた前記任意のサーバとの間の前記セッションが確立される毎に、当該ユーザ及び任意のサーバ内の配信情報に関してそれぞれ事前に登録されたユーザ識別子及び配信情報識別子の組み合わせからなるセッション接続情報を前記プレゼンスサーバに送信すると共に、当該セッション接続情報により定義される前記セッションの状態を前記プレゼンスサーバからの指示に応じて管理するセッション管理手段を有し、前記プレゼンスサーバが、前記ユーザにより前記複数の端末の何れかを用いたログインが行われる毎に、該当するログイン端末に付与されているＩＰアドレスを取得すると共に、当該ＩＰアドレスと前記ユーザ識別子とに基づき、当該ログイン端末が、今回のログインに際し、前回のログインに用いた旧端末から当該旧端末とは異なる新端末へと変更されたか否かを判定する端末変更判定手段と、この端末変更判定手段において前記ログイン端末の変更が判定されたときに、現在、前記新端末を用いてログインしている前記ユーザが、過去に前記旧端末を用いた前記任意のサーバとの間の前記セッションを確立していたか否かを、前記セッション管理サーバにおける前記セッション管理手段から送信された前記ユーザ識別子及び前記配信情報識別子の組み合わせからなる前記セッション接続情報、並びに前記端末変更判定手段により前記新端末に関して取得された前記ＩＰアドレスに基づいて判定するセッション確立判定手段と、このセッション確立判定手段において前記旧端末を用いた前記セッションの確立が判定されたときに、前記新端末を用いてログインしている前記ユーザの選択に応じ、前記セッション管理サーバにおける前記セッション管理手段を制御して当該セッションの操作を行うセッション制御手段とを有してなる、セッション制御システム装置の構成採用にある。
【００３１】
本発明装置の第２の特徴は、上記本発明装置の第１の特徴における前記プレゼンスサーバが、前記セッション確立判定手段において前記旧端末を用いた前記セッションの確立が判定されたときに、前記ユーザに選択させるべき当該セッションに対する操作の種別を案内するためのＷｅｂページのＵＲＬを内容に含んだインスタントメッセージを、前記新端末における前記メッセンジャークライアントに送信するメッセージ送信手段と、このメッセージ送信手段により前記新端末に送信された前記インスタントメッセージ中の前記ＵＲＬが前記ユーザにより指定されたときに、対応する前記Ｗｅｂページを前記新端末における前記Ｗｅｂブラウザ上に表示させるセッション操作表示手段とを有してなる、セッション制御システム装置の構成採用にある。
【００３２】
本発明装置の第３の特徴は、上記本発明装置の第２の特徴における前記セッション操作表示手段が、前記セッションに対する操作の種別として、当該セッションの切断及び同セッションの前記旧端末から前記新端末への切替えを案内する前記Ｗｅｂページを前記新端末における前記Ｗｅｂブラウザ上に表示させる機能手段を具備してなる、セッション制御システム装置の構成採用にある。
【００３３】
本発明装置の第４の特徴は、上記本発明装置の第１の特徴における前記セッション確立判定手段が、現在、前記新端末を用いてログインしている前記ユーザが、過去に前記旧端末を含む２以上の端末を用いた前記任意のサーバとの間の複数の前記セッションを確立していたか否かを判定する機能手段を具備し、前記セッション制御手段が、当該セッション確立判定手段において前記旧端末を含む前記２以上の端末を用いた前記複数のセッションの確立が判定されたときに、前記セッション管理サーバにおける前記セッション管理手段を制御して当該複数のセッションの操作を行う機能手段を具備してなる、セッション制御システム装置の構成採用にある。
【００３４】
本発明装置の第５の特徴は、上記本発明装置の第４の特徴における前記プレゼンスサーバが、前記セッション確立判定手段において前記旧端末を含む前記２以上の端末を用いた前記複数のセッションの確立が判定されたときに、前記ユーザに選択させるべき当該複数のセッションに対する操作の種別を案内するためのＷｅｂページのＵＲＬを内容に含んだインスタントメッセージを、前記新端末における前記メッセンジャークライアントに送信するメッセージ送信手段と、このメッセージ送信手段により前記新端末に送信された前記インスタントメッセージ中の前記ＵＲＬが前記ユーザにより指定されたときに、対応する前記Ｗｅｂページを前記新端末における前記Ｗｅｂブラウザ上に表示させるセッション操作表示手段とを有してなる、セッション制御システム装置の構成採用にある。
【００３５】
本発明装置の第６の特徴は、上記本発明装置の第５の特徴における前記セッション操作表示手段が、前記複数のセッションに対する操作の種別として、当該複数のセッションの選択的切断及び同セッションの前記旧端末から前記新端末への切替えを案内する前記Ｗｅｂページを表示する機能手段を具備してなる、セッション制御システム装置の構成採用にある。
【００３６】
本発明装置の第７の特徴は、上記本発明装置の第１、第２、第３、第４、第５又は第６の特徴における前記プレゼンスサーバが、前記ユーザ識別子をキーとしながら、前記端末変更判定手段により前記新端末及び前記旧端末に関してそれぞれ取得された２つの前記ＩＰアドレスを格納するログインＩＰアドレス管理データベースを有し、前記端末変更判定手段が、当該ログインＩＰアドレス管理データベースに格納された前記２つのＩＰアドレスを参照して所要の端末変更判定を行う機能手段を具備してなる、セッション制御システム装置の構成採用にある。
【００３７】
本発明装置の第８の特徴は、上記本発明装置の第１、第２、第３、第４、第５、第６又は第７の特徴における前記プレゼンスサーバが、前記セッション管理サーバにおける前記セッション管理手段から送信された前記ユーザ識別子及び前記配信情報識別子の組み合わせからなる前記セッション接続情報をキーとしながら、前記端末変更判定手段により前記新端末に関して取得された前記ＩＰアドレスを格納する通信中セッション管理データベースを有し、前記セッション確立判定手段が、当該通信中セッション管理データベースに格納された前記ＩＰアドレスを参照して所要のセッション確立判定を行う機能手段を具備してなる、セッション制御システム装置の構成採用にある。
【００３８】
本発明装置の第９の特徴は、上記本発明装置の第１、第２、第３、第４、第５、第６、第７又は第８の特徴における前記セッション制御サーバ及び前記プレゼンスサーバが、それぞれ、ＳＩＰプロトコル及び当該ＳＩＰプロトコルを拡張したＳＩＭＰＬＥプロトコルを実装して構成されてなる、セッション制御システム装置の構成採用にある。
【００３９】
本発明装置の第１０の特徴は、上記本発明装置の第９の特徴における前記ユーザ識別子及び前記配信情報識別子が、共に、前記ＳＩＰプロトコル及び前記ＳＩＭＰＬＥプロトコルに適用可能な識別子であるＳＩＰ−ＵＲＩを採用した接続元ＳＩＰ−ＵＲＩ及び接続先ＳＩＰ−ＵＲＩである、セッション制御システム装置の構成採用にある。
【発明の効果】
【００４０】
本発明によれば、プレゼンスサーバによるユーザのプレゼンス管理とセッション制御サーバによる通信制御とを連携させることが可能になると共に、例えば、ある端末が、プレゼンスサーバへのログインと、セッション制御サーバを介したセッションの確立とを同時に行っている場合において、ユーザが旧端末から新端末に移動してプレゼンスサーバにログインしても、従来生じていたユーザのプレゼンスと通信のセッションとの間に生じる不整合な状態、即ち、プレゼンスに関しては「新端末でログイン」、セッションに関しては「旧端末でセッション確立中」のような状態を解消することが可能となる。
【００４１】
また、本発明によれば、セッション制御サーバを介して確立されたセッションの状態を任意の端末から操作することが可能となり、例えば、ユーザが、旧端末を通じてコンテンツサーバの間で確立したセッションを終了させないまま新端末に移動した場合においても、当該ユーザは、旧端末とコンテンツサーバとの接続を終了させるために旧端末に戻ってセッションを終了させる必要がなくなる。
【発明を実施するための最良の形態】
【００４２】
以下、本発明の実施の形態につき、添付図面を参照しつつ、その装置例及びこれに対応する方法例を説明する。
【００４３】
（装置例）
図１は、本発明の装置例に係るセッション制御システム装置のネットワーク構成図である。また、図２（ａ）及び（ｂ）は、それぞれ、図１に示されるプレゼンスサーバ内に設定されるログインＩＰアドレス管理データベース及び通信中セッション管理データベースの各内部データ構成の一例を示す図である。
【００４４】
同図に示すように、本装置例に係るセッション制御システム装置αは、メッセンジャークライアント１及びＷｅｂブラウザ２をそれぞれ搭載してなる複数の端末３ａ，３ｂ，…（本図では２つの端末のみを示す）と、当該複数の端末３ａ，３ｂ，…からの要求に応じて情報を配信するコンテンツサーバ４（本発明にいう「任意のサーバ」）と、複数の端末３ａ，３ｂ，…とコンテンツサーバ４との間の情報通信に関するセッションを管理する、ＳＩＰプロトコルを実装して構成されたＳＩＰサーバ５（本発明にいう「セッション管理サーバ」）と、複数の端末３ａ，３ｂ，…を用いるユーザ（図示せず）の在席状況に関するプレゼンスを管理する、上記ＳＩＰプロトコルを拡張したＳＩＭＰＬＥプロトコルを実装して構成されたプレゼンスサーバ６とを有して構成される。
【００４５】
ここで、ＳＩＰサーバ５は、セッション管理部５１を有して構成され、プレゼンスサーバ６は、端末変更判定部６１と、ログインＩＰアドレス管理データベース６２と、セッション確立判定部６３と、通信中セッション管理データベース６４と、セッション制御部６５と、メッセージ送信部６６と、セッション操作表示部６７とを有して構成される。
【００４６】
このうち、ＳＩＰサーバ５におけるセッション管理部５１は、ユーザにより複数の端末３ａ，３ｂ，…の何れかを用いたコンテンツサーバ４との間のセッションが確立される毎に、当該ユーザ及びコンテンツサーバ４内の配信情報に関してそれぞれ事前に登録された接続元ＳＩＰ−ＵＲＩ及び接続先ＳＩＰ−ＵＲＩ（共にＳＩＰプロトコル及びＳＩＭＰＬＥプロトコルに適用可能な、本発明にいう「ユーザ識別子」及び「配信情報識別子」の各一形態）の組み合わせからなるセッション接続情報をプレゼンスサーバ６に送信すると共に、当該セッション接続情報により定義されるセッションの状態をプレゼンスサーバ６からの指示に応じて管理するための機能手段である。
【００４７】
また、プレゼンスサーバ６における端末変更判定部６１は、ユーザにより複数の端末３ａ，３ｂ，…の何れかを用いたログインが行われる毎に、該当するログイン端末に付与されているＩＰアドレスを取得すると共に、当該ＩＰアドレスと接続元ＳＩＰ−ＵＲＩとに基づき、当該ログイン端末が、今回のログインに際し、前回のログインに用いた旧端末（以下、複数の端末３ａ，３ｂ，…中における「端末３ａ」であるとする）から当該旧端末３ａとは異なる新端末（以下、複数の端末３ａ，３ｂ，…中における「端末３ｂ」であるとする）へと変更されたか否かを判定するための機能手段である。
【００４８】
ログインＩＰアドレス管理データベース６２は、接続元ＳＩＰ−ＵＲＩをキーとしながら、端末変更判定部６１により新端末３ｂ及び旧端末３ａに関してそれぞれ取得された新ＩＰアドレス及び旧ＩＰアドレス（本発明にいう「２つのＩＰアドレス」）を格納するものであり（図２（ａ）参照）、上記端末変更判定部６１は、当該ログインＩＰアドレス管理データベース６２に格納された新／旧ＩＰアドレスを参照して所要の端末変更判定を行うよう機能する。
【００４９】
一方、セッション確立判定部６３は、端末変更判定部６１においてログイン端末の変更が判定されたときに、現在、新端末３ｂを用いてログインしているユーザが、過去に旧端末３ａ又は当該旧端末３ａを含む２以上の端末（図示せず）を用いたコンテンツサーバ４との間のセッションを確立していたか否かを、ＳＩＰサーバ５におけるセッション管理部５１から送信された接続元ＳＩＰ−ＵＲＩ及び接続先ＳＩＰ−ＵＲＩの組み合わせからなるセッション接続情報、並びに端末変更判定部６１により新端末３ｂに関して取得された新ＩＰアドレスに基づいて判定する機能手段である。
【００５０】
通信中セッション管理データベース６４は、ＳＩＰサーバ５におけるセッション管理部５１から送信された接続元ＳＩＰ−ＵＲＩ及び接続先ＳＩＰ−ＵＲＩの組み合わせからなるセッション接続情報をキーとしながら、端末変更判定部６１により新端末３ｂに関して取得された新ＩＰアドレスを、現在接続中の端末（新端末３ｂ）に関する接続中ＩＰアドレスとして格納するものであり（図２（ｂ）参照）、上記セッション確立判定部６３は、当該通信中セッション管理データベース６４に格納された接続中ＩＰアドレスを参照して所要のセッション確立判定を行うよう機能する。
【００５１】
さらに、セッション制御部６５は、セッション確立判定部６３において旧端末３ａ又は当該旧端末３ａを含む２以上の端末を用いたセッションの確立が判定されたときに、新端末３ｂを用いてログインしているユーザの選択に応じ、ＳＩＰサーバ５におけるセッション管理部５１を制御して当該セッションの操作を行う機能手段である。
【００５２】
他方、メッセージ送信部６６は、セッション確立判定部６３において旧端末３ａ又は当該旧端末３ａを含む２以上の端末を用いた単一又は複数のセッションの確立が判定されたときに、ユーザに選択させるべき当該単一又は複数のセッションに対する操作の種別を案内するためのＷｅｂページ（図示せず）のＵＲＬ（Uniform Resource Locator）を内容に含んだインスタントメッセージ（図示せず）を、新端末３ｂにおけるメッセンジャークライアント１に送信する機能手段である。
【００５３】
また、セッション操作表示部６７は、メッセージ送信部６６により新端末３ｂに送信されたインスタントメッセージ中のＵＲＬがユーザにより指定されたときに、対応するＷｅｂページを新端末３ｂにおけるＷｅｂブラウザ２上に表示させる機能手段であり、具体的には、単一又は複数のセッションに対する操作の種別として、当該単一のセッションの切断又は複数のセッションの選択的切断及び同セッションの旧端末３ａから新端末３ｂへの切替えを案内するＷｅｂページを新端末３ｂにおけるＷｅｂブラウザ２上に表示させるよう機能する。
【００５４】
（方法例）
続いて、以上のように構成されたセッション制御システム装置αにより実施される方法例を説明する。
【００５５】
初めに、ＳＩＰサーバ５におけるセッション管理部５１から送信された接続元ＳＩＰ−ＵＲＩ及び接続先ＳＩＰ−ＵＲＩの組み合わせからなるセッション接続情報を、プレゼンスサーバ６における通信中セッション管理データベース６４に格納する際の動作を説明する。
【００５６】
図３は、図１及び図２に示される通信中セッション管理データベース６４にセッション接続情報を格納する際の動作を説明するためのフローチャートである。
【００５７】
同図に示すように、プレゼンスサーバ６における通信中セッション管理データベース６４へのセッション接続情報の格納は、まず、ユーザが複数の端末３ａ，３ｂ，…の何れかを用いることにより、ＳＩＰサーバ５を介したコンテンツサーバ４との間のセッションが確立され（ＳＴ１）、これに伴い、ＳＩＰサーバ５におけるセッション管理部５１からプレゼンスサーバ６におけるセッション確立判定部６３に対し、接続元ＳＩＰ−ＵＲＩ及び接続先ＳＩＰ−ＵＲＩの組み合わせからなるセッション接続情報が送信される毎に行われる（ＳＴ２）。
【００５８】
次に、ＳＩＰサーバ５におけるセッション管理部５１からセッション接続情報が送信されると、プレゼンスサーバ６におけるセッション確立判定部６３は、セッション接続情報中の接続元ＳＩＰ−ＵＲＩにより特定されるユーザが現在用いているログイン端末を識別するために、ログインＩＰアドレス管理データベース６２における当該ユーザの該当レコードを検索して新ＩＰアドレスフィールドを参照し、同新ＩＰアドレスフィールドに格納されているＩＰアドレス（新ＩＰアドレス）を取得する（ＳＴ３）。
【００５９】
そして、プレゼンスサーバ６におけるセッション確立判定部６３は、ＳＩＰサーバ５におけるセッション管理部５１から送信された接続元ＳＩＰ−ＵＲＩ及び接続先ＳＩＰ−ＵＲＩの組み合わせからなるセッション接続情報をキーとしながら、通信中セッション管理データベース６４における当該ユーザの該当レコードを構成する各対応フィールドに、上記接続元ＳＩＰ−ＵＲＩ及び接続先ＳＩＰ−ＵＲＩと共に、ＳＴ３の処理で取得した新ＩＰアドレス（接続中ＩＰアドレス）を格納する（ＳＴ４）。
【００６０】
なお、ＳＩＰサーバ５におけるセッション管理部５１は、該当するセッションが終了した場合、その旨を示す情報と共に、上記接続元ＳＩＰ−ＵＲＩ及び接続先ＳＩＰ−ＵＲＩの組み合わせからなるセッション接続情報をプレゼンスサーバ６におけるセッション確立判定部６３に再び送信し、これに対し、同セッション確立判定部６３は、通信中セッション管理データベース６４からセッション終了に係る該当レコードを削除する。
【００６１】
次に、セッション制御システム装置αの具体的動作を説明する。なお、本例では、ユーザが、旧端末３ａを通じてコンテンツサーバ４の間で確立したセッションを終了させないまま新端末３ｂに移動してプレゼンスサーバ６にログインし、当該新端末３ｂから上記セッションを操作する場合を例に挙げて説明する（図１参照）。
【００６２】
図４は、図１及び図２に示されるセッション制御システム装置αの動作を説明するためのフローチャートである。
【００６３】
同図に示すように、本セッション制御システム装置αにおける動作は、ユーザが新端末３ｂを用いてプレゼンスサーバ６にログインし（ＳＴ１１）、これに伴い、同プレゼンスサーバ６における端末変更判定部６１が、そのときのログイン端末である新端末３ｂに付与されているＩＰアドレスを取得し（ＳＴ１２）、さらに、そのユーザに関して取得したログイン端末（新端末３ｂ）のＩＰアドレスをログインＩＰアドレス管理データベース６２の該当レコードにおける新ＩＰアドレスフィールドに格納することにより開始される（ＳＴ１３）。なお、ログインＩＰアドレス管理データベース６２中に、当該ユーザに関する該当レコードが既に存在している場合には上書き処理により対応し、また、存在していない場合には同レコードを新規に作成するようにする。
【００６４】
次に、プレゼンスサーバ６における端末変更判定部６１は、その格納したＩＰアドレス（新ＩＰアドレス）と、当該ユーザの該当レコードにおける旧ＩＰアドレスフィールドに格納されたＩＰアドレス（旧端末３ａからのログイン時に取得した旧ＩＰアドレス）とを比較する（ＳＴ１４）。
【００６５】
次に、プレゼンスサーバ６におけるセッション確立判定部６３は、新／旧ＩＰアドレスが相違する場合（ＳＴ１４；相違）、通信中セッション管理データベース６４における当該ユーザの該当レコードを検索して接続中ＩＰアドレスフィールドを参照することにより、同ユーザが新ＩＰアドレスで通信中（セッションを確立中）であるか否かを判定し（ＳＴ１５）、さらに、新ＩＰアドレスで通信中ではない場合には（ＳＴ１５；Ｎｏ）、上記接続中ＩＰアドレスフィールドを再び参照することにより、同ユーザが新ＩＰアドレス以外で通信中であるか否かを判定する（ＳＴ１６）。
【００６６】
ここで、当該ユーザに関する新／旧ＩＰアドレスが相違し、同ユーザが新ＩＰアドレスで通信中ではなく、かつ同ユーザが新ＩＰアドレス以外で通信中である場合（ＳＴ１６；Ｙｅｓ）、これは即ち、ログイン端末が、今回のログインに際し、前回のログインに用いた旧端末３ａから新端末３ｂへと変更され、かつ当該ユーザが、過去に旧端末３ａを用いたコンテンツサーバ４との間のセッションを確立していたこと（旧端末３ａを通じてコンテンツサーバ４の間で確立したセッションを終了させないまま新端末３ｂに移動して、プレゼンスサーバ６にログインしたこと）を意味するので、同プレゼンスサーバ６におけるメッセージ送信部６６は、ユーザに選択させるべき当該セッションに対する操作の種別を案内するためのＷｅｂページのＵＲＬを内容に含んだインスタントメッセージを、新端末３ｂにおけるメッセンジャークライアント１に送信する（ＳＴ１７）。
【００６７】
このとき、新端末３ｂを用いるユーザにより、メッセンジャークライアント１上に表示されたインスタントメッセージ中のＵＲＬが指定されると、同新端末３ｂはＷｅｂブラウザ２を自動起動させ、これに伴い、プレゼンスサーバ６におけるセッション操作表示部６７は、単一又は複数のセッションに対する操作の種別として、当該単一のセッションの切断又は複数のセッションの選択的切断及び同セッションの旧端末３ａから新端末３ｂへの切替えを一覧表示によりユーザに案内するＷｅｂページを、新端末３ｂにおけるＷｅｂブラウザ２上に表示させる。
【００６８】
次に、以上のＷｅｂページの表示に伴い、新端末３ｂのユーザが、Ｗｅｂブラウザ２上に表示されたセッション操作種別の選択（セッションの切断や切替え）に係る確認ボタン（図示せず）をマウス（図示せず）のクリック操作により押下すると、プレゼンスサーバ６におけるセッション操作表示部６７において「ユーザ操作有り」と判別され（ＳＴ１８；有り）、これに伴い、同プレゼンスサーバ６におけるセッション制御部６５は、ＳＩＰサーバ５におけるセッション管理部５１に対し、対応ユーザ操作に応じたセッション制御に係る指示コマンド（図示せず）を送信する（ＳＴ１９）。
【００６９】
これに対し、ＳＩＰサーバ５におけるセッション管理部５１は、プレゼンスサーバ６におけるセッション制御部６５から指示コマンドが送信されると、当該指示コマンドに応じた切断や切替えなどのセッション制御を行う（ＳＴ２０）。
【００７０】
そして、上記セッション制御までの処理が完了すると、プレゼンスサーバ６におけるセッション制御部６５は、端末変更判定部６１にログインＩＰアドレス管理データベース６２を検索させて、新端末３ｂのユーザの該当レコードにおける新ＩＰアドレスフィールドに一旦格納された新ＩＰアドレスを、次回以降の処理のために旧ＩＰアドレスフィールドにコピーして旧ＩＰアドレスを設定し（ＳＴ２１）、以上により全ての処理を終了する。
【００７１】
なお、上記ＳＴ１４の処理で新／旧ＩＰアドレスが同一と判定された場合（ＳＴ１４；同一）、ＳＴ１５の処理で新ＩＰアドレスで通信中であると判定された場合（ＳＴ１５；Ｙｅｓ）、ＳＴ１６の処理で新ＩＰアドレス以外で通信中と判定されなかった場合（ＳＴ１６；Ｎｏ）、及びＳＴ１８の処理で「ユーザ操作無」と判定された場合には（ＳＴ１８；無し）、プレゼンスサーバ６における端末変更判定部６１は、上記ＳＴ２１の処理を随時実行することにより、ログインＩＰアドレス管理データベース６２における新ＩＰアドレスフィールドに一旦格納された新ＩＰアドレスを旧ＩＰアドレスフィールドにコピーして、所要の旧ＩＰアドレスを設定する。
【００７２】
以上、本発明の実施の形態につき、その装置例及びこれに対応する方法例を挙げて説明したが、本発明は、必ずしも上述した手段及び手法にのみ限定されるものではなく、前述した効果を有する範囲内において、適宜、変更実施することが可能なものである。
【図面の簡単な説明】
【００７３】
【図１】本発明の装置例に係るセッション制御システム装置のネットワーク構成図である。
【図２】（ａ）は、図１に示されるプレゼンスサーバ内に設定されるログインＩＰアドレス管理データベースの内部データ構成の一例を示す図、（ｂ）は、同プレゼンスサーバ内に設定される通信中セッション管理データベースの内部データ構成の一例を示す図である。
【図３】図１及び図２に示される通信中セッション管理データベースにセッション接続情報を格納する際の動作を説明するためのフローチャートである。
【図４】図１及び図２に示されるセッション制御システム装置の動作を説明するためのフローチャートである。
【符号の説明】
【００７４】
α…セッション制御システム装置
１…メッセンジャークライアント
２…Ｗｅｂブラウザ
３ａ…旧端末（複数の端末）
３ｂ…新端末（複数の端末）
４…コンテンツサーバ
５…ＳＩＰサーバ
５１…セッション管理部
６…プレゼンスサーバ
６１…端末変更判定部
６２…ログインＩＰアドレス管理データベース
６３…セッション確立判定部
６４…通信中セッション管理データベース
６５…セッション制御部
６６…メッセージ送信部
６７…セッション操作表示部
【図１】
2005073160.tif 000003
【図２】
2005073160.tif 000004
【図３】
2005073160.tif 000005
【図４】
2005073160.tif 000006